(57)【特許請求の範囲】
【請求項１】
複数枚のスチル画像データが対応付けられて複数の楽曲データが記録されている光ディスクから前記楽曲データを読み出して再生する際、当該楽曲データに対応付けられた前記複数枚のスチル画像データを読み出して当該楽曲データの再生中に再生させる光ディスク再生装置であって、
前記楽曲データを再生するために必要な回転速度よりも高速の回転速度で前記光ディスクを回転させて前記楽曲データを読み出す楽曲データ読出手段と、
前記楽曲データ読出手段で読み出された前記楽曲データを一時記憶する楽曲データ記憶手段と、
前記楽曲データ記憶手段に所定量の楽曲データが記憶されると、当該楽曲データを読み出して再生する楽曲再生手段と、
前記光ディスクから前記スチル画像データを読み出すスチル画像データ読出手段と、
前記スチル画像データ読出手段で読み出された各スチル画像データを一時記憶するスチル画像データ記憶手段と、
前記スチル画像データ記憶手段に所定量のスチル画像データが記憶されると、当該各スチル画像データを読み出して順次再生するスチル画像再生手段と、
複数の楽曲データを連続再生する場合、各楽曲データを再生する際、各楽曲データに対応する複数枚のスチル画像データのうち、１枚目のスチル画像データを前記スチル画像データ読出手段により前記スチル画像データ記憶手段に読み出させ、その後、前記楽曲データ読出手段による楽曲データの前記楽曲データ記憶手段への読出動作と前記スチル画像データ読出手段によるスチル画像の前記スチル画像データ記憶手段への読出動作を交互に行わせるデータ読出制御手段と、
を備えたことを特徴とする、光ディスク再生装置。
【請求項２】
前記データ読出制御手段は、再生すべき楽曲データが切り換わるとき、次の楽曲データに対応する１枚目のスチル画像データの読取動作を切り換わる前の楽曲データが再生されている期間に行わせることを特徴とする、請求項１に記載の光ディスク再生装置。
【発明の詳細な説明】
【０００１】
【発明の属する技術分野】
本発明は、たとえばＤＶＤ(digital versatile disc)オーディオ機能を有するＤＶＤ再生装置のような、光ディスク再生装置に関する。
【０００２】
【従来の技術】
ＤＶＤオーディオの機能の一つとして、オーディオ・スチル・ビデオ（以下「ＡＳＶ」と記す）と呼ばれる、楽曲の再生中にモニタ装置の表示画面にスチル映像を映出する機能がある。このＡＳＶにおいては、たとえば、アーティストのジャケットピクチャや、歌詞、あるいはライナーノーツなどをモニタ装置の表示画面に表示することができる。このＡＳＶは、楽曲の再生の前に、指定されたＡＳＶ群を予め読み出し、光ディスク再生装置のメモリに蓄えておくことで、楽曲の再生とともにスチル映像の再生が可能になっている。ここで、ＡＳＶ群とは、複数枚のスチル映像を映出するための画像データの集合である。
【０００３】
【発明が解決しようとする課題】
しかし、シーケンシャルに楽曲の再生が行われていくと、再生中のトラックから次トラックへの移り変わりの際、新たなＡＳＶ群をロードしなければならないため、その期間は楽曲データの読み出しが行われないことから、スムーズな楽曲再生が行われないという課題があった。
【０００４】
なお、ＤＶＤオーディオ規格においては、モニタ装置の表示画面にスチル映像を映出するタイプと映出しないタイプとがあり、スチル映像を映出しないタイプではもちろん上記のような課題を生じる余地がなくスムーズな再生が行われるが、当然、スチル映像を楽しむことができない。
【０００５】
本発明は、このような事情のもとで考え出されたものであって、モニタ装置の表示画面にスチル映像を映出可能な光ディスクを再生するに際して、トラックの移り変わり時における楽曲再生の途切れを良好に軽減できる光ディスク再生装置を提供することを、その課題としている。
【０００６】
【発明の開示】
上記の課題を解決するため、本発明では、次の技術的手段を講じている。
【０００７】
本発明によれば、複数枚のスチル画像データが対応付けられて複数の楽曲データが記録されている光ディスクから楽曲データを読み出して再生する際、当該楽曲データに対応付けられた複数枚のスチル画像データを読み出して当該楽曲データの再生中に再生させる光ディスク再生装置であって、楽曲データを再生するために必要な回転速度よりも高速の回転速度で光ディスクを回転させて楽曲データを読み出す楽曲データ読出手段と、楽曲データ読出手段で読み出された楽曲データを一時記憶する楽曲データ記憶手段と、楽曲データ記憶手段に所定量の楽曲データが記憶されると、当該楽曲データを読み出して再生する楽曲再生手段と、光ディスクからスチル画像データを読み出すスチル画像データ読出手段と、スチル画像データ読出手段で読み出された各スチル画像データを一時記憶するスチル画像データ記憶手段と、スチル画像データ記憶手段に所定量のスチル画像データが記憶されると、当該各スチル画像データを読み出して順次再生するスチル画像再生手段と、複数の楽曲データを連続再生する場合、各楽曲データを再生する際、各楽曲データに対応する複数枚のスチル画像データのうち、１枚目のスチル画像データをスチル画像データ読出手段によりスチル画像データ記憶手段に読み出させ、その後、楽曲データ読出手段による楽曲データの楽曲データ記憶手段への読出動作とスチル画像データ読出手段によるスチル画像のスチル画像データ記憶手段への読出動作を交互に行わせるデータ読出制御手段とを備えたことを特徴とする、光ディスク再生装置が提供される。
【０００８】
好ましい実施の形態によれば、データ読出制御手段は、再生すべき楽曲データが切り換わるとき、次の楽曲データに対応する１枚目のスチル画像データの読取動作を切り換わる前の楽曲データが再生されている期間に行わせる。
【００１２】
本発明によれば、複数の楽曲データを連続再生する場合、各楽曲データを再生する際、各楽曲データに対応する複数枚のスチル画像データのうち、１枚目のスチル画像データをスチル画像データ読出手段によりスチル画像データ記憶手段に読み出させ、その後、楽曲データ読出手段による楽曲データの楽曲データ記憶手段への読出動作とスチル画像データ読出手段によるスチル画像のスチル画像データ記憶手段への読出動作を交互に行わせるので、モニタ装置の表示画面にスチル映像を映出可能な光ディスクを再生するに際して、楽曲データの移り変わり時における楽曲再生の途切れを良好に軽減できる。
【００１４】
本発明のその他の特徴および利点は、添付図面を参照して以下に行う詳細な説明によって、より明らかとなろう。
【００１５】
【発明の実施の形態】
以下、本発明の好ましい実施の形態を、図面を参照して具体的に説明する。
【００１６】
図１は、本発明に係る光ディスク再生装置の一例としてのＤＶＤオーディオプレイヤの回路ブロック図であって、このＤＶＤオーディオプレイヤは、ＣＰＵ１、メモリ２、操作部３、ドライブ部４、信号処理部５、映像／音声復号処理部６、ビデオエンコード部７、およびＤ／Ａ変換処理部８を備えている。映像／音声復号処理部６は、映像バッファメモリ１１と音声バッファメモリ１２とを備えている。
【００１７】
ＣＰＵ１は、ホストＣＰＵとして機能し、ＤＶＤオーディオプレイヤの全体を制御する。
【００１８】
メモリ２は、ＣＰＵ１にワーク領域を提供し、各種のデータを記憶する。
【００１９】
操作部３は、ユーザによって操作されるキースイッチ群などを備えており、使用者による操作に応じた操作信号をＣＰＵ１に供給する。
【００２０】
ドライブ部４は、オーディオ用の光ディスクとしての図外のＤＶＤオーディオディスクにアクセスするピックアップ、ピックアップを制御するサーボ処理回路、ＤＶＤオーディオディスクを回転させるモータなどを備えており、ＤＶＤオーディオディスクに記録されている信号を読み出す。
【００２１】
信号処理部５は、ドライブ部４からの信号を所定の方式で処理する。
【００２２】
映像／音声復号処理部６は、信号処理部５からのデータを復号処理することにより楽曲データと画像データとを生成する。生成された画像データは、画像データ記憶手段としての映像バッファメモリ１１に一時的に蓄えられ、楽曲データは、楽曲データ記憶手段としての音声バッファメモリ１２に一時的に蓄えられる。また映像／音声復号処理部６は、楽曲データをディジタル音声信号として図外のディジタル音声信号出力端子に出力する。
【００２３】
ビデオエンコード部７は、映像／音声復号処理部６からの画像データをエンコードし、ビデオ信号として図外のビデオ信号出力端子に出力する。このビデオ信号は、図外のモニタ装置に供給される。
【００２４】
Ｄ／Ａ変換処理部８は、映像／音声復号処理部６からの楽曲データをアナログ音声信号に変換し、図外のアナログ音声信号出力端子に出力する。このアナログ音声信号は、図外のオーディオ装置に供給される。
【００２５】
図２は、ＤＶＤオーディオディスクのプレゼンテーション階層の説明図である。ユーザがアクセスできる最小単位はインデックス５１であり、１つ以上のインデックス５１が集まってトラック５２が構成される。ユーザによるトラック５２のアクセスはＤＶＤオーディオプレイヤの必須機能であるが、インデックス５１のアクセスは必須機能ではない。トラック５２が１つ以上集まってグループ５３を構成し、グループ５３の集合がアルバム５４となる。アルバム５４はＤＶＤオーディオディスクの片面に一つ定義できる階層で、最大の単位である。
【００２６】
図３は、ＤＶＤオーディオディスクの論理構成の説明図である。一般に、ＤＶＤオーディオディスクは、ＡＶＴＴ(audio with video title)とＡＯＴＴ(audio only title)との２種類に大別される。ＡＶＴＴは、 ＤＶＤビデオ規格のフォーマットである動画映像、楽曲、およびサブピクチャを再生するタイトルであり、ＡＯＴＴは、楽曲のみ、あるいは楽曲とスチル映像と必要に応じてハイライトとを再生するタイトルである。ＡＶＴＴの場合、ＤＶＤオーディオゾーン６１とＤＶＤビデオゾーン６２とを有しており、ＡＯＴＴの場合、ＤＶＤオーディオゾーン６１のみを有している。ＤＶＤオーディオゾーン６１は、簡易音声管理領域６３、音声管理領域６４、スチル映像領域６５、およびオーディオタイトル領域６６により構成されている。ＤＶＤビデオゾーン６２は、ビデオ管理領域６７、およびビデオタイトル領域６８により構成されている。
【００２７】
簡易音声管理領域６３には、複雑なナビゲーションなしにトラック５２へのアクセスが可能になる情報が格納されており、通常は２チャンネル再生用として用いられる。この簡易音声管理領域６３を利用することにより、いくつか機能は制限されるものの、簡易的な再生が可能になる。
【００２８】
音声管理領域６４には、ビジュアルメニューと呼ばれるメニュー形式の映像を含む本ディスクに関する全体的な情報が格納されている。
【００２９】
スチル映像領域６５には、スチル映像の集合と、そのアドレス情報などが格納されている。このスチル映像領域６５は、ＤＶＤオーディオ規格ではオプションであり、必ずしも必要ではない。
【００３０】
オーディオタイトル領域６６には、楽曲情報などが格納されている。このオーディオタイトル領域６６は、ＤＶＤオーディオゾーン６１に最大９９個存在する。
【００３１】
ビデオ管理領域６７には、本ディスクに含まれる動画映像に関する全体的な情報が格納されている。ただし、この情報はＤＶＤオーディオプレーヤでは参照されない。
【００３２】
ビデオタイトル領域６８には、動画情報などが格納されている。このビデオタイトル領域６８は、ＤＶＤビデオゾーン６２に最大９９個存在する。
【００３３】
図４は、音声管理領域６４の説明図であって、音声管理領域６４は、管理情報領域７１、ビジュアルメニュー領域７２、および管理情報バックアップ領域７３により構成されている。管理情報領域７１は、管理テーブル領域７５、第１調査テーブル領域７６、第２調査テーブル領域７７、ビジュアルメニューテーブル領域７８、およびテキスト情報管理領域７９により構成されている。
【００３４】
管理情報領域７１には、アルバム５４全体の情報が格納されている。
【００３５】
ビジュアルメニュー領域７２には、各タイトルへのアクセスを容易に行うためのビジュアルメニューと呼ばれる情報が格納されている。
【００３６】
管理情報バックアップ領域７３には、管理情報領域７１のバックアップ情報が格納されている。
【００３７】
管理テーブル領域７５には、アルバム５４全体の情報を管理するためのテーブルが格納されている。
【００３８】
第１調査テーブル領域７６には、タイトルを探索するためのテーブルが格納されている。
【００３９】
第２調査テーブル領域７７には、タイトルを探索するためのテーブルが格納されている。
【００４０】
ビジュアルメニューテーブル領域７８には、ビジュアルメニューを再生するためのテーブルが格納されている。
【００４１】
テキスト情報管理領域７９には、アルバム５４のテキスト情報が格納されている。
【００４２】
ところで、ＤＶＤオーディオ規格では、ＤＶＤオーディオプレーヤについて２種類規定されている。一つは純粋に楽曲のみを再生するプレーヤであり、この場合、ビジュアルメニューやスチル映像は全く表示されない。もう一つが映像を再生可能なプレーヤである。第１調査テーブル領域７６は、映像を再生可能なプレーヤのために設けられており、第２調査テーブル領域７７は、楽曲のみを再生するプレーヤのために設けられている。
【００４３】
図５は、スチル映像領域６５の説明図であって、スチル映像領域６５は、スチル映像情報領域８１、スチル映像データ領域８２、およびスチル映像情報バックアップ領域８３により構成されている。スチル映像情報領域８１は、スチル映像群情報領域８５、スチル映像探索テーブル領域８６、および予備領域８７により構成されている。
【００４４】
スチル映像情報領域８１には、スチル映像のアドレス情報などが格納されている。
【００４５】
スチル映像データ領域８２には、多数枚のスチル映像のデータが格納されている。
【００４６】
スチル映像情報バックアップ領域８３には、スチル映像情報領域８１のバックアップ情報が格納されている。
【００４７】
スチル映像群情報領域８５には、複数枚のスチル映像からなるスチル映像群の数、映像属性、および各スチル映像がいずれのスチル映像群に属しているかなどの情報が格納されている。映像属性とは、たとえば符号化方式やアスペクト比などである。
【００４８】
スチル映像探索テーブル領域８６には、各スチル映像のアドレス情報を表すテーブルが格納されている。
【００４９】
図６は、オーディオタイトル領域６６の説明図であって、オーディオタイトル領域６６は、オーディオタイトル情報領域９１、オーディオデータ領域９２、およびオーディオタイトル情報バックアップ領域９３により構成されている。オーディオタイトル情報領域９１は、オーディオタイトル情報管理テーブル領域９５、およびプログラム関連情報テーブル領域９６により構成されている。プログラム関連情報テーブル領域９６は、一般情報領域１０１、プログラム情報テーブル領域１０２、セル再生情報領域１０３、およびスチル映像再生情報テーブル領域１０４により構成されている。
【００５０】
オーディオタイトル情報領域９１には、オーディオの各タイトルに関する各種の情報が格納されている。
【００５１】
オーディオデータ領域９２には、オーディオの各タイトルの楽曲データが格納されている。このオーディオデータ領域９２に格納さている楽曲データは、プログラム関連情報テーブル領域９６に格納されているテーブルを用いてアドレス指定され、楽曲が再生される。
【００５２】
オーディオタイトル情報バックアップ領域９３には、オーディオタイトル情報領域９１のバックアップ情報が格納されている。
【００５３】
オーディオタイトル情報管理テーブル領域９５には、楽曲データの属性など、オーディオタイトル領域６６に含まれるタイトルの情報が格納されている。楽曲データの属性とは、たとえば符号化モード、量子化ビット数、サンプリング周波数などである。
【００５４】
プログラム関連情報テーブル領域９６には、プレゼンテーションを行うための再生情報を表すテーブルが格納されている。
【００５５】
一般情報領域１０１には、プレゼンテーションを行うための一般情報が格納されている。
【００５６】
プログラム情報テーブル領域１０２には、個々のプログラムに関する情報を表すテーブルが格納されている。プログラムとは、トラックと同義であり、個々の曲である。
【００５７】
セル再生情報領域１０３には、個々のセルに関する情報が格納されている。
【００５８】
スチル映像再生情報テーブル領域１０４には、各トラックで表示するスチル映像の表示順序の指定や、表示タイミングなどを表すテーブルが格納されている。
【００５９】
次に動作を説明する。通常の再生モードでは、ユーザにより選択されたトラックの楽曲を再生する前に、ドライブ部４のピックアップが、ＣＰＵ１により制御されて、ＤＶＤオーディオディスクのスチル映像再生情報テーブル領域１０４を読み出して再生すべきトラックに対応するスチル映像群の番号を探索し、次にスチル映像探索テーブル領域８６を読み出して、探索した番号に対応するスチル映像群の各スチル映像のアドレスを探索する。そして、探索したアドレスに基づいて、スチル映像データ領域８２から各スチル映像のデータを読み出す。
【００６０】
読み出された各スチル映像のデータは、映像／音声復号処理部６の映像バッファメモリ１１に記憶される。
【００６１】
この後、ドライブ部４のピックアップが、ＣＰＵ１により制御されて、ユーザにより選択されたトラックに対応するオーディオタイトル領域６６にアクセスし、オーディオデータ領域９２からオーディオデータを順次読み出す。
【００６２】
読み出されたオーディオデータは、信号処理部５により所定の信号処理が施され、映像／音声復号処理部６により復号処理され、音声バッファメモリ１２を介してＤ／Ａ変換処理部８に供給される。Ｄ／Ａ変換処理部８は、オーディオデータをアナログ音声信号に変換し、アナログ音声信号出力端子を介してたとえばテレビジョン受像機などに供給する。これにより楽曲が再生される。
【００６３】
一方、楽曲の再生前に映像バッファメモリ１１に蓄積されたスチル映像群のデータは、楽曲再生の進行に伴って順次ビデオエンコード部７に供給され、ビデオ信号に変換されて、ビデオ信号出力端子を介してたとえばテレビジョン受像機などに供給される。これによりテレビジョン受像機の表示画面にスチル映像が表示される。
【００６４】
この結果、ユーザは、所望の楽曲を聴取している間に、何枚かのスチル映像を視聴することができる。
【００６５】
このように、通常の再生モードでは、各トラック５２毎に、楽曲の再生前にスチル映像群の各スチル映像のデータを読み出して映像バッファメモリ１１に蓄積するので、１つのトラック５２の再生が終了して次のトラック５２に進む際に、また１つのトラック５２から別のトラック５２にジャンプをする際に、スチル映像群の各スチル映像のデータを読み出すためにドライブ部４のピックアップがスチル映像領域６５に移動する。したがって、比較的長い時間、音声の再生が途切れることになり、ユーザはストレスを感じる場合がある。
【００６６】
ユーザが操作部３を操作して第１の特殊再生モードを選択した場合、楽曲の再生時には、先ずドライブ部４のピックアップが、ＣＰＵ１により制御されて、オーディオデータ領域９２にアクセスし、オーディオデータを読み出す。この楽曲の再生のためのオーディオデータの読み出しに際しては、ＣＰＵ１がドライブ部４のモータを制御して、ＤＶＤオーディオディスクを１倍速よりも速く回転させる。これにより、音声バッファメモリ１２に蓄積されるデータ量が次第に増加していく。音声バッファメモリ１２に所定量のオーディオデータが蓄積されると、ＣＰＵ１が、ドライブ部４のピックアップによって現在アクセスされているオーディオデータ領域９２のアドレスをメモリ２に記憶させる。そして、ＣＰＵ１が、ドライブ部４のピックアップを制御して、次のスチル映像のデータが記録されているスチル映像データ領域８２のアドレスに移動させ、スチル映像のデータを読み出させる。このデータは、映像バッファメモリ１１に蓄積される。この後、ＣＰＵ１が、ドライブ部４のピックアップを制御して、オーディオデータの読み出しを再開させる。このとき、メモリ２に記憶されているアドレスに基づいて、スチル映像のデータを読み出すためにオーディオデータの読み出しを中断した位置から、オーディオデータの読み出しを開始する。このようなスチル映像のデータの読み出し期間中にも、音声バッファメモリ１２に蓄積されているオーディオデータに基づいて楽曲の再生は継続される。
【００６７】
以上のような動作が繰り返されることにより、任意数のトラック５２の楽曲の再生が行われ、全てのスチル映像に関して、楽曲の再生を中断させることなくスチル映像のデータが読み出され、表示されるスチル映像が切り替わっていく。すなわち、各トラックの楽曲は、途中で中断することなく連続的に再生され、その間に、表示されるスチル映像が順次切り替わる。
【００６８】
ユーザが操作部３を操作して第２の特殊再生モードを選択した場合、通常の再生モードのように、各トラック５２の楽曲再生の前に、そのトラック５２に対応するスチル映像群の全てのスチル映像のデータを読み出すのではなく、楽曲再生の前には１枚のスチル映像のデータだけを読み出し、残りのスチル映像のデータは、楽曲を再生しながら適宜読み出して映像バッファメモリ１１に蓄積する。
【００６９】
たとえば、図７に示すように、複数のトラック５２をジャンプしながら順次楽曲を再生し、各トラック５２毎に複数枚のスチル映像を表示する場合、先ずオーディオデータの読み出しの前に最初の１枚のスチル映像のデータを読み出し、それを映像バッファメモリ１１に格納する。そして、楽曲の再生と同時に、スチル映像を表示する。この楽曲の再生のためのオーディオデータの読み出しに際しては、ＣＰＵ１がドライブ部４のモータを制御して、ＤＶＤオーディオディスクを１倍速よりも速く回転させる。これにより、音声バッファメモリ１２に蓄積されるデータ量が次第に増加していく。音声バッファメモリ１２に所定量のオーディオデータが蓄積されると、ＣＰＵ１が、ドライブ部４のピックアップによって現在アクセスされているオーディオデータ領域９２のアドレスをメモリ２に記憶させる。そして、ＣＰＵ１が、ドライブ部４のピックアップを制御して、次のスチル映像のデータが記録されているスチル映像データ領域８２のアドレスに移動させ、スチル映像のデータを読み出させる。このデータは、映像バッファメモリ１１に蓄積される。この後、ＣＰＵ１が、ドライブ部４のピックアップを制御して、オーディオデータの読み出しを再開させる。このとき、メモリ２に記憶されているアドレスに基づいて、スチル映像のデータを読み出すためにオーディオデータの読み出しを中断した位置から、オーディオデータの読み出しを開始する。このようなスチル映像のデータの読み出し期間中にも、音声バッファメモリ１２に蓄積されているオーディオデータに基づいて楽曲の再生は継続される。
【００７０】
以上のような、楽曲の再生を継続しながらのスチル映像のデータの読み出し動作は、１つのトラック５２に対応するスチル映像群に含まれるスチル映像の枚数に応じて繰り返される。
【００７１】
また、１つのトラック５２から別のトラック５２へのジャンプに際しては、前のトラック５２と同様に、楽曲の再生前に、１枚のスチル映像のデータを読み出して映像バッファメモリ１１に格納しておき、２枚目以降のスチル映像のデータの読み出しは、楽曲の再生中に行う。
【００７２】
以上のような動作が繰り返されることにより、複数のトラック５２の楽曲の再生が行われ、各トラック５２の２枚目以降のスチル映像に関して、楽曲の再生を中断させることなくスチル映像のデータが読み出され、表示されるスチル映像が切り替わっていく。すなわち、個々のトラックの楽曲は、途中で中断することなく連続的に再生され、その間に、表示されるスチル映像が順次切り替わる。
【００７３】
また、図８に示すように、連続した複数のトラック５２の楽曲を順次再生し、各トラック５２についてそれぞれ複数枚のスチル映像を表示する場合、連続した複数のトラック５２のうちの先頭のトラック５２に対応するスチル映像群の１枚目のスチル映像のデータを、楽曲の再生前に読み出し、それ以降の全てのスチル映像のデータは、楽曲の再生を中断させることなく、楽曲の再生中に適宜読み出す。
【００７４】
このように、第１の特殊再生モードを選択することにより、全てのスチル映像のデータを、楽曲の再生を中断させることなく適宜読み出し、順次表示させることができるので、トラックの移り変わり時における楽曲再生の途切れを良好に軽減でき、ユーザにストレスを感じさせることがない。また、最初のスチル映像の表示が楽曲の再生開始時よりも若干遅れるけれども、ユーザによるプレイ指示操作とほぼ同時に楽曲を再生することができ、この点からもユーザにストレスを感じさせることがない。さらには、映像バッファメモリ１１の容量を削減することが可能になる。
【００７５】
また、第２の特殊再生モードを選択することにより、各トラック５２の２枚目以降のスチル映像のデータ、あるいは連続した複数のトラック５２のうちの最初のトラック５２の最初のスチル映像以外の全てのスチル映像のデータを、楽曲の再生を中断させることなく適宜読み出し、順次表示させることができるので、トラックの移り変わり時における楽曲再生の途切れを良好に軽減でき、ユーザにストレスを感じさせることがない。また、楽曲の再生開始前に、スチル映像のデータを１枚分だけ読み出すので、ユーザによるプレイ指示操作から楽曲再生開始までの時間を短縮することができ、この点からもユーザにストレスを感じさせることがない。さらには、映像バッファメモリ１１の容量を削減することが可能になる。
【００７６】
なお、上記実施形態においては、特殊再生モードとして、第１の特殊再生モードと第２の特殊再生モードとの２種類の特殊再生モードを採用したが、いずれか一方のみを採用してもよい。
【００７７】
また、上記実施形態においては、楽曲の再生中にスチル映像のデータを１枚分づつ適宜読み出すように構成したが、１度に２枚分以上読み出すように構成してもよい。
【図面の簡単な説明】
【図１】本発明に係る光ディスク再生装置の一例としてのＤＶＤオーディオプレイヤの回路ブロック図である。
【図２】ＤＶＤオーディオディスクのプレゼンテーション階層の説明図である。
【図３】ＤＶＤオーディオディスクの論理構成の説明図である。
【図４】図３に示す音声管理領域の説明図である。
【図５】図３に示すスチル映像領域の説明図である。
【図６】図３に示すオーディオタイトル領域の説明図である。
【図７】第２の特殊再生モードにおいて複数のトラックをジャンプしながら再生する場合の再生状況の説明図である。
【図８】第２の特殊再生モードにおいて複数の連続したトラックを再生する場合の再生状況の説明図である。
【符号の説明】
１  ＣＰＵ
２  メモリ
３  操作部
４  ドライブ部
５  信号処理部
６  映像／音声復号処理部
７  ビデオエンコード部
８  Ｄ／Ａ変換処理部
１１  映像バッファメモリ
１２  音声バッファメモリ
【図１】
0003804411.tif 000002
【図２】
0003804411.tif 000003
【図３】
0003804411.tif 000004
【図４】
0003804411.tif 000005
【図５】
0003804411.tif 000006
【図６】
0003804411.tif 000007
【図７】
0003804411.tif 000008
【図８】
0003804411.tif 000009